(57)【特許請求の範囲】
【請求項１】
表示画面を有する表示部と、前記表示画面への入力を受け付けるタッチセンサと、を有するタッチパネルと、
通話網を介した他の端末との通話を制御する通話制御部と、
前記通話制御部により前記他の端末との通話接続が確立されていると、前記タッチセンサを介した入力操作が所定の入力操作を除き無効とされる第１の通話中状態と前記タッチセンサを介した入力操作が有効とされる第２の通話中状態とのいずれかでシステム状態を管理するシステム状態管理部と、
前記第２の通話中状態で動作しシステム状態が前記第２の通話中状態から他のシステム状態へ移行するとリセットされて動作を停止するタイマであって、前記システム状態管理部によりシステム状態が他の通話中状態から前記第２の通話中状態へ移行されると計時を開始し、計時開始後第１の所定の時間経過すると第１のタイムアウト信号を出力する強制タイマと、
を備え、
前記システム状態管理部は、
前記第１のタイムアウト信号を受けると前記第２の通話中状態から前記第１の通話中状態へ前記システム状態を移行させる、
ことを特徴とする無線端末。
【請求項２】
前記システム状態管理部は、
少なくとも待受け状態と前記第１の通話中状態と前記第２の通話中状態とでシステム状態を管理し、発呼指示および着呼指示のいずれかの指示があるとシステム状態を前記待受け状態から前記第１の通話中状態へ移行させるとともに、前記第１の通話中状態において前記所定の入力操作を受けるとシステム状態を前記第２の通話中状態へ移行させる、
請求項１記載の無線端末。
【請求項３】
前記第２の通話中状態で動作しシステム状態が前記第２の通話中状態から他のシステム状態へ移行するとリセットされて動作を停止するタイマであって、前記タッチセンサを介した入力操作が終了すると計時を開始し、計時開始後前記タッチセンサを介した入力操作が行われずに第２の所定の時間経過すると第２のタイムアウト信号を出力する一方、計時開始後前記第２の所定の時間経過前に前記タッチセンサを介した入力操作が行われるとリセットされてこの入力操作の終了後再度計時を開始する第１の無操作タイマ、
をさらに備え、
前記システム状態管理部は、
前記第２のタイムアウト信号を受けると前記第２の通話中状態から前記第１の通話中状態へシステム状態を移行させる、
請求項１または２に記載の無線端末。
【請求項４】
前記第１の所定の時間は前記第２の所定の時間より長い、
請求項３記載の無線端末。
【請求項５】
前記第１の通話中状態で動作しシステム状態が前記第１の通話中状態から他のシステム状態へ移行するとリセットされて動作を停止するタイマであって、前記システム状態管理部によりシステム状態が他のシステム状態から前記第１の通話中状態へ移行されると計時を開始し、計時開始後前記タッチセンサを介した前記所定の入力操作が行われずに第３の所定の時間経過すると第３のタイムアウト信号を出力する第２の無操作タイマ、
をさらに備え、
前記システム状態管理部は、
前記通話制御部により前記他の端末との通話接続が確立されていると、前記第１の通話中状態と、前記第２の通話中状態と、前記タッチセンサを介した入力操作が所定の入力操作を除き無効とされるとともに前記表示部の前記表示画面がオフとされる第３の通話中状態と、のいずれかでシステム状態を管理し、前記第３のタイムアウト信号を受けると前記第１の通話中状態から前記第３の通話中状態へシステム状態を移行させる、
請求項１ないし４のいずれか１項に記載の無線端末。
【請求項６】
前記システム状態管理部は、
前記システム状態を前記第１の通話中状態へ他のシステム状態から移行させると、前記タッチセンサを介した入力操作が現在無効とされている旨の情報および前記所定の入力操作によって前記タッチセンサを介した入力操作が有効とされる旨の情報を前記表示部に表示させる、
請求項１ないし５のいずれか１項に記載の無線端末。
【発明の詳細な説明】
【技術分野】
【０００１】
本発明は、タッチパネルを備えた無線端末に関する。
【背景技術】
【０００２】
タッチパネルを備えた無線端末には、携帯電話機をはじめ、端末使用中にタッチパネルがユーザの身体に接触することが多いものがある。たとえば、タッチパネルを備えた携帯電話機は、通話の際にユーザの耳や頬などがタッチパネルに接触してしまうことが多い。端末は、この接触によりユーザが意図しない動作（終話やボリューム変更など）をしてしまう場合がある。
【０００３】
従来、この種のタッチパネルを介した不意の動作を防止するための技術として、特開２００４−１５９０２８号公報（特許文献１）に開示された技術がある。
【０００４】
特許文献１に開示されたカメラ内蔵携帯電話機能付き情報処理端末は、少なくともタッチパネルを使用した入力手段と、カメラと、カメラの出力にもとづきカメラに対する被写体の接近の有無を判別する被写体接近判別手段と、を備える。この情報処理端末は、携帯電話機能による通話中に被写体接近判別手段が被写体のカメラへの接近を認識した場合は入力手段からの入力信号を無効とすることにより、ユーザが耳に端末を接触または近づけて通話している状態ではタッチパネルの入力手段からの入力を無効にすることができ、誤動作を確実に防止できるようになっている。
【先行技術文献】
【特許文献】
【０００５】
【特許文献１】特開２００４−１５９０２８号公報
【発明の概要】
【発明が解決しようとする課題】
【０００６】
しかし、従来の技術を適用した無線端末は、ユーザの身体がタッチパネルに接近しているか否かを判別するためにカメラやこれに準ずる近接センサを用いる必要があり、煩雑である。
【０００７】
一方、カメラや近接センサを用いない場合には、タッチパネルの入力手段（タッチセンサ）を自動的に無効にするタイミングが難しい。これは、ユーザがタッチセンサを利用した操作を所望しているのか、またはタッチセンサを必要としない通話操作等を所望しているのかはユーザ本人にしかわからないことだからである。
【０００８】
タッチセンサを無効にするタイミングを自動化する方法として、通話開始からタッチパネルへの接触が無いまま所定時間経過すると自動的にタッチセンサを無効にする方法が考えられる。しかし、この方法では、所定の時間経過前にタッチパネルがユーザの耳などに接触してしまうと、以後通話中はなかなかタッチセンサが無効とならない。
【０００９】
本発明は、上述した事情を考慮してなされたもので、タッチセンサの無効化が望ましい状態になるとタッチパネルへの物体の接近を検知することなく確実にタッチセンサを無効にすることができる無線端末を提供することを目的とする。
【課題を解決するための手段】
【００１０】
本発明に係る無線端末は、上述した課題を解決するために、表示画面を有する表示部と、前記表示画面への入力を受け付けるタッチセンサと、を有するタッチパネルと、通話網を介した他の端末との通話を制御する通話制御部と、前記通話制御部により他の端末との通話接続が確立されていると、少なくとも前記タッチセンサを介した入力操作が所定の入力操作を除き無効とされる第１の通話中状態と前記タッチセンサを介した入力操作が有効とされる第２の通話中状態とのいずれかでシステム状態を管理するシステム状態管理部と、前記第２の通話中状態で動作しシステム状態が前記第２の通話中状態から他のシステム状態へ移行するとリセットされて動作を停止するタイマであって、前記システム状態管理部によりシステム状態が他の通話中状態から前記第２の通話中状態へ移行されると計時を開始し、計時開始後第１の所定の時間経過すると第１のタイムアウト信号を出力する強制タイマと、を備え、前記システム状態管理部は、前記第１のタイムアウト信号を受けると前記第２の通話中状態から前記第１の通話中状態へ前記システム状態を移行させる、ことを特徴とするものである。
【発明の効果】
【００１１】
本発明に係る無線端末によれば、タッチセンサの無効化が望ましい状態になるとタッチパネルへの物体の接近を検知することなく確実にタッチセンサを無効にすることができる。
【図面の簡単な説明】
【００１２】
【図１】本発明に係る無線端末の一実施形態を示す概略的な外観斜視図。
【図２】携帯電話機の内部構成例を概略的に示すブロック図。
【図３】主制御部のＣＰＵによる機能実現部の構成例を示す概略的なブロック図。
【図４】通話中状態としての通常状態、タッチロック状態およびオフスクリーン状態について説明するための図。
【図５】タッチロック状態において表示部を介して現在タッチロック状態にある旨の情報をユーザに通知する際の表示画面の一例を示す説明図。
【図６】各通話中状態間の移行条件の一例を示す説明図。
【図７】待受け状態から通話中状態へ移行し再び待受け状態へ移行する様子の一例を表示部の表示内容ととともに示す説明図。
【図８】図５に示した移行条件により各通話中状態間でシステム状態が移行する様子の一例を表示部の表示内容ととともに示す説明図。
【図９】待受け状態から通話中状態へ移行し再び待受け状態へ移行する際の手順を示すフローチャート。
【図１０】通常状態への移行後、入力操作の有無に関わらず所定時間経過後にシステム状態を自動的に他の通話中状態へ移行させる際の手順を示すフローチャート。
【発明を実施するための形態】
【００１３】
本発明に係る無線端末の実施の形態について、添付図面を参照して説明する。
【００１４】
図１は、本発明に係る無線端末の一実施形態を示す概略的な外観斜視図である。なお、本発明は、タッチパネルを備えた種々の無線端末に適用することができる。本実施形態では、本発明に係る無線端末として、携帯電話機を用いる場合の一例について示す。図１は、待受け状態における携帯電話機１０の一例である。
【００１５】
なお、以下の説明において、発呼とは、音声通話要求発信やテレビ電話通話要求発信などの通話要求発信をいい、着呼とは、音声通話要求着信やテレビ電話通話要求着信などの通話要求着信をいい、発着呼とは、発呼および着呼をいうものとする。たとえば、携帯電話機１０に対して音声通話要求着信を内容とする着呼があると、ユーザは着呼キーを押下することにより携帯電話機１０に対して着呼指示を与える。携帯電話機１０は、この指示を受けて音声通話要求先との音声通話を確立する。
【００１６】
図１に示すように、携帯電話機１０の正面の表面上には、タッチパネル１１、レシーバ１２、マイクロフォン１３およびタッチキー１４が設けられる。また、側面の一部には、電源ボタン１５が設けられる。タッチパネル１１には、ソフトキーとして少なくとも発着呼指示キー１６および終話指示キー１７が表示される。
【００１７】
図２は、携帯電話機１０の内部構成例を概略的に示すブロック図である。図２に示すように、携帯電話機１０は、さらにアンテナ２１、送受信部２２、記憶部２３、主制御部２４および時刻情報出力部２５を少なくとも有する。
【００１８】
タッチパネル１１は、表示部２６と、表示部２６の近傍に設けられた入力部としてのタッチセンサ２７とを有する。
【００１９】
表示部２６は、たとえば液晶ディスプレイや有機ＥＬ（Electro Luminescence）ディスプレイなどの一般的な表示出力装置により構成される。表示部２６は、主制御部２４に制御されて少なくとも発着呼指示キー１６および終話指示キー１７をソフトキーとして表示する。
【００２０】
表示入力部１１の入力部としてのタッチセンサ２７は、ユーザによるタッチセンサ２７上の指示位置の情報を携帯電話機１０の主制御部２４に与える。たとえば抵抗膜方式の感圧式パネルにより構成される場合、タッチセンサ２７は、押圧された位置の情報をユーザの指示位置の情報として取得し、携帯電話機１０の主制御部２４に与える。
【００２１】
たとえば、ユーザが表示部２６に表示された画像上のソフトキーの１つを押下する操作を意図した場合、ユーザは画面上のこのソフトキー相当部に接触しようとする。タッチセンサ２７は、この接触動作から得た接触試行位置の情報を、ユーザの指示位置の情報として取得し、主制御部２４に与える。
【００２２】
レシーバ１２は、受話音声をはじめとした各種の情報に対応した音声を出力する。また、マイクロフォン１３は、ユーザによって入力された音声をデジタル音声信号に変換する。
【００２３】
タッチキー１４は、たとえば静電容量方式のタッチセンサにより構成され、キーに対するユーザの接触操作に応じた信号を出力する。
【００２４】
電源ボタン１５は、ユーザにより押下されるとこの押下に応じた信号を主制御部２４に与える。主制御部２４は、電源ボタン１５が押下されると、押下されてから開放されるまでの時間に応じて携帯電話機１０を制御することができる。以下の説明では、電源ボタン１５の短押しに対して通話中のシステム状態を移行させる機能を割当て、長押しに対して携帯電話機１０全体の電源のＯＮまたはＯＦＦを行う機能が割り当てられている場合の例について示す。
【００２５】
発着呼指示キー１６は、待受け状態で押下されると発呼指示があった旨の情報を主制御部２４に与える。また、発着呼指示キー１６は、着呼中に押下されると着呼指示があった旨の情報を主制御部２４に与える。
【００２６】
終話指示キー１７は、通話中状態で押下されると通話を終了すべき指示があった旨の情報を主制御部２４に与える。また、終話指示キー１７は、待受け状態で長押しされるとシステムを終了して電源を落とすべき指示（終了指示）があった旨の情報を主制御部３７に与える。
【００２７】
アンテナ２１は、図示しない無線基地局との間で通信電波の送受信を行う。送受信部２２は、通信電波に内在する無線信号を送受信する無線回路であり、主制御部２４から出力される通信データを変調し、アンテナ２１を介して送信する。また、送受信部２２は、アンテナ２１を介して受信した通信データを復調し、主制御部２４へ出力する。通信データには、少なくとも通話を行うための音声データおよびインターネット通信を行うためのデータが含まれる。
【００２８】
記憶部２３は、データの書き換えが可能な不揮発性のメモリであり、たとえばハードディスクドライブやソリッドステートドライブなどにより構成することができる。この記憶部２３は、電子メールデータや音楽データなどの各種データを記憶している。
【００２９】
主制御部２４は、ＣＰＵ、ＲＡＭ、ＲＯＭなどにより構成され、ＲＯＭ内に記憶されたプログラムに従って、携帯電話機１０の処理動作を制御する。ＣＰＵは、ＲＯＭ内に記憶された通話中誤操作防止プログラムおよびプログラムの実行のために必要なデータをＲＡＭへロードし、通話中誤操作防止プログラムに従って、通話中にタッチパネルへの物体の接近を検知することなく確実にタッチセンサを無効にするための処理を実行する。
【００３０】
ＲＡＭは、ＣＰＵが実行するプログラムおよびデータを一時的に格納するワークエリアを提供する。
【００３１】
ＲＯＭは、携帯電話機１０の起動プログラム、通話中誤操作防止プログラムや、これらのプログラムを実行するために必要な各種データを記憶する。
【００３２】
なお、ＲＯＭは、磁気的もしくは光学的記録媒体または半導体メモリなどの、ＣＰＵにより読み取り可能な記録媒体を含んだ構成を有し、ＲＯＭ内のプログラムおよびデータの一部または全部は電子ネットワークを介してダウンロードされるように構成してもよい。
【００３３】
時刻情報出力部２５は、たとえばＲＴＣ（Real Time Clock）などにより構成され、主制御部２４に対して現在時刻情報を出力する。主制御部２４は、時刻情報出力部２５の出力を用いることにより各種ソフトウエアタイマを動作させることができる。
【００３４】
図３は、主制御部２４のＣＰＵによる機能実現部の構成例を示す概略的なブロック図である。なお、この機能実現部は、ＣＰＵを用いることなく回路などのハードウエアロジックによって構成してもよい。
【００３５】
ＣＰＵは、通話中誤操作防止プログラムによって、少なくとも操作内容取得部３１、操作内容通知部３２、通話制御部３３、システム状態管理部３４およびタイマ制御部３５として機能する。この各部３１〜３５は、ＲＡＭの所要のワークエリアを、データの一時的な格納場所として利用する。
【００３６】
操作内容取得部３１は、タッチセンサ２７の出力を受け、表示画面に対する入力操作の内容を取得する。タッチセンサ２７の出力には、ユーザにより表示画面上の接触位置の情報が少なくとも含まれる。操作内容取得部３１は、タッチセンサ２７から受けたこの接触位置の情報およびこの情報を受けた時間の情報にもとづき、表示画面に対してユーザが入力を意図した操作がプレス、リリース、プレスアンドホールド、スライド、シングルタップ、ダブルタップなどのいずれの入力操作であるかを判別し、入力操作の内容および接触位置の情報を出力する。
【００３７】
また、操作内容取得部３１は、電源ボタン１５の押下が短押しであるか長押しであるかを判別し、判別した結果を出力する。
【００３８】
ここで、ユーザの表示画面に対する各入力操作について、プレスとは非接触状態から接触状態への移行動作をいい、リリースとは接触状態から非接触状態への移行動作をいい、プレスアンドホールドとはプレス後所定の時間（たとえば１秒）以上接触状態を維持するいわゆる長押し動作をいい、スライドとはプレス後接触状態を維持したまま接触位置を移動させるいわゆるドラッグ動作をいうものとする。また、シングルタップとはプレス後所定の時間（たとえば１秒）未満でリリースするいわゆるクリック動作をいい、ダブルタップとはシングルタップ後所定の時間（たとえば０．５秒）以内に再度シングルタップするいわゆるダブルクリック動作をいうものとする。
【００３９】
操作内容通知部３２は、操作内容取得部３１により取得された入力操作の内容をアプリケーションプログラムに与える。
【００４０】
通話制御部３３は、送受信部２２を制御し、携帯電話網を含む電話網やインターネット網などを介した他の端末との通話を制御する。たとえば、ユーザにより発着呼指示キー１６を介して発呼指示および着呼指示のいずれかの指示があると、通話制御部３３は、電話網を介して相手先の電話機などの他の電話機能を有する端末との通話接続を確立するとともに、通話接続確立中（通話中）において他の端末と音声や画像などのデータの送受信を行う。この結果、ユーザはタッチパネル１１、レシーバ１２およびマイクロフォン１３などを利用して他の端末のユーザと通話を行うことができる。また、ユーザにより終話指示キー１７を介して終話指示があると、通話制御部３３は他の端末との通話接続を終了する。
【００４１】
システム状態管理部３４は、少なくとも待受け時のシステム状態である待受け状態および他の端末との通話接続が確立されているとき（通話中）のシステム状態である通話中状態のいずれかでシステム状態を管理する。本実施形態では、システム状態管理部３４が、通話中状態としてタッチロック状態（第１の通話中状態）、通常状態（第２の通話中状態）、およびオフスクリーン状態（第３の通話中状態）の３つのいずれかでシステム状態を管理する場合の例について説明する。
【００４２】
図４は、通話中状態としての通常状態、タッチロック状態およびオフスクリーン状態について説明するための図である。
【００４３】
第１の通話中状態としてのタッチロック状態は、表示部２６は表示画面出力を維持し、タッチセンサ２７に対する入力操作を所定の入力操作を除き無効とする（以下、タッチロックするという）システム状態である。
【００４４】
所定の入力操作は、タッチロック状態から通常状態へ移行するための指示操作として利用される。以下の説明では、所定の入力操作としてダブルタップを用いる場合の例について示す。
【００４５】
通話中状態において、ユーザが相手先と会話をしている場合は、タッチパネル１１がユーザの耳などに接触してしまう場合が多い。この場合、接触によりユーザが意図しない動作（終話やボリューム変更など）をしてしまうことがないよう、タッチロックすることが望ましい。そこで、システム状態管理部３４は、発呼指示および着呼指示のいずれかの指示があり待受け状態から通話中状態へ移行する際には、まずタッチロック状態（第１の通話中状態）へ移行させてタッチロックする（タッチロック機能をオンにする）。
【００４６】
なお、タッチロックは、タッチセンサ２７に対するユーザの入力操作が所定の入力操作を除き無効となれば、どのような方法で実現されてもよい。たとえば、タッチロックは、所定の入力操作を除く入力操作の内容を出力しないようにシステム状態管理部３４が操作内容取得部３１を制御することによって実行することができる。
【００４７】
第２の通話中状態としての通常状態は、表示部２６が表示画面出力を維持するとともにタッチセンサ２７に対する入力操作が有効とされるシステム状態である。
【００４８】
通話中状態であっても、スケジュールやメモなどの記憶部２３内のデータを確認したい場合など、ユーザがタッチセンサ２７の利用を望む場合がある。このため、携帯電話機１０は、ユーザからの要求に応じて、通話中であってもタッチセンサ２７に対する入力操作を有効にできることが望ましい。そこで、システム状態管理部３４は、必要に応じて通話中状態を通常状態へ移行させる。
【００４９】
第３の通話中状態としてのオフスクリーン状態は、タッチロックされているとともに表示部２６の表示画面出力が停止されたシステム状態である。
【００５０】
ユーザが相手先との会話を続ける場合、タッチパネル１１が利用される可能性が低いと考えられる。また、会話中にはタッチパネル１１が視認される可能性も低いと考えられる。そこで、システム状態管理部３４は、必要に応じて通話中状態をオフスクリーン状態へ移行させる。オフスクリーン状態では、タッチロックされていることにより通話中の誤操作を防ぐことができるとともに、タッチパネル１１の表示機能を停止することにより消費電力の低減化を図りつつ表示部２６の発熱量を低下させることができる。
【００５１】
表示部２６が液晶ディスプレイである場合、システム状態管理部３４はオフスクリーン状態では液晶パネルへの表示出力が停止させるとともにバックライトへの給電を停止する。また、表示部２６が有機ＥＬディスプレイである場合、システム状態管理部３４は、オフスクリーン状態では有機ＥＬ素子への電力供給を停止する。
【００５２】
図５は、タッチロック状態において表示部２６を介して現在タッチロック状態にある旨の情報をユーザに通知する際の表示画面の一例を示す説明図である。
【００５３】
タッチロック状態では、タッチセンサ２７に対する入力操作が所定の入力操作を除き無効とされる。このため、ユーザがタッチロック状態にあることに気付かずに機器の故障を疑うなどの不具合を未然に防ぐため、システム状態管理部３４は、タッチロック状態では、現在タッチロック状態にありタッチ操作が無効である旨の情報を表示部２６に表示させておくとよい。また、図５に示すように、所定の入力操作（たとえばダブルタップなど）により通常状態への移行可能であることや、所定の時間経過後に省電力のためオフスクリーン状態へ移行する予定であることなどを表示してもよい。
【００５４】
これらの通話中状態間の移行条件として、本実施形態に係る携帯電話機１０は、タイマを利用し、カメラや近接センサなどの出力を利用しない。
【００５５】
タイマ制御部３５は、システム状態管理部３４により制御されて、強制タイマ４１、タッチロックタイマ（第１の無操作タイマ）４２、オフスクリーンタイマ（第２の無操作タイマ）４３を制御する。これらのタイマ４１〜４３は、ソフトウエアタイマとして実現され、計時は時刻情報出力部２５の出力を利用して行う。
【００５６】
強制タイマ４１は、システム状態管理部３４によりシステム状態が他の通話中状態（タッチロック状態またはオフスクリーン状態）から通常状態へ移行されると計時を開始するようタイマ制御部３５により制御される。強制タイマ４１は、計時開始後の経過時間Δｔ１が第１の所定の時間Ｔｔｈ１（たとえば１分など）以上となると第１のタイムアウト信号をタイマ制御部３５に出力して動作を終了する。
【００５７】
強制タイマ４１は通話中状態が通常状態のとき動作し、システム状態が他のシステム状態へ移行すると、リセットされて動作を停止するようタイマ制御部３５により制御される。また、強制タイマ４１は、たとえ計時中にタッチセンサ２７に対する入力操作があっても計時を停止することなく、第１の所定の時間Ｔｔｈ１が経過するとタイムアウト信号を出力する。
【００５８】
第１の無操作タイマとしてのタッチロックタイマ４２は、通話中状態が通常状態のとき動作し、システム状態が他のシステム状態へ移行すると、リセットされて動作を停止するようタイマ制御部３５により制御される。
【００５９】
タッチクロックタイマ４２は、タッチセンサ２７を介した入力操作が終了すると計時を開始するようタイマ制御部３５により制御される。タッチロックタイマ４２は、タッチセンサ２７を介した入力操作が行われずに計時開始後の経過時間Δｔ２が第２の所定の時間Ｔｔｈ２（たとえば５秒など）以上となると第２のタイムアウト信号を出力して動作を終了する。
【００６０】
また、タッチロックタイマ４２は、計時開始後Δｔ２がＴｔｈ２未満の際にタッチセンサ２７を介した入力操作が行われると、リセットされてこの入力操作の終了後再度計時を開始するようタイマ制御部３５により制御される。
【００６１】
このため、ユーザが頻繁にタッチセンサ２７に触れていると、タッチロックタイマ４２は、第２のタイムアウト信号を出力することなく繰り返しリセットされてしまう場合がある。
【００６２】
たとえば、通常状態に移行後、ユーザが所望の入力操作（メモの閲覧など）を行った後、相手先と会話する場合を考える。この場合、システム状態は通常状態であるが、既にユーザには入力操作する意思がない。しかし、相手先との会話中には、ユーザの顔の一部がタッチセンサ２７に対し頻繁に接触してしまう場合が多い。このため、通常状態において会話が行われると、第２のタイムアウト信号が出力されずになかなかタッチロック状態へ移行できない。また、この会話中の接触によりユーザが意図しない動作（終話やボリューム変更など）が生じてしまう場合もある。
【００６３】
そこで、本実施形態に係る携帯電話機１０は、通常状態に移行してから第１の所定の時間経過し強制タイマ４１が第１のタイムアウト信号を出力すると、入力操作の有無によらず強制的かつ自動的にタッチロック状態に移行するようになっている。
【００６４】
第２の無操作タイマとしてのオフスクリーンタイマ４３は、システム状態管理部３４によりシステム状態が他のシステム状態（待受け状態または通常状態）からタッチロック状態へ移行されると計時を開始するようタイマ制御部３５により制御される。オフスクリーンタイマ４３は、タッチセンサ２７を介した所定の入力操作（たとえばダブルタップなど）が行われずに計時開始後の経過時間Δｔ３が第３の所定の時間Ｔｔｈ３（たとえば５秒など）以上となると第３のタイムアウト信号を出力して動作を終了する。
【００６５】
この所定の入力操作とは、システム状態をタッチロック状態から他のシステム状態に移行させるための指示操作であるものとする。本実施形態においては、システム状態管理部３４が、タッチロック状態において所定の入力操作（たとえばダブルタップなど）があった旨の情報を操作内容取得部３１より受けると、タッチロック状態から通常状態へシステム状態を移行させる場合の例について説明する。
【００６６】
オフスクリーンタイマ４３は、通話中状態がタッチロック状態のとき動作し、システム状態が他のシステム状態へ移行すると、リセットされて動作を停止するようタイマ制御部３５により制御される。オフスクリーンタイマ４３は、計時開始後に所定の入力操作があると、システム状態が他のシステム状態へ移行することになるためリセットされ動作を停止する。
【００６７】
なお、第１〜第３の所定の時間は、初期設定された値を用いてもよいし、ユーザにより設定値を変更可能としてもよい。
【００６８】
次に、本実施形態に係る携帯電話機１０の動作の一例について説明する。
【００６９】
図６は、各通話中状態間の移行条件の一例を示す説明図である。また、図７は、待受け状態から通話中状態へ移行し再び待受け状態へ移行する様子の一例を表示部２６の表示内容ととともに示す説明図である。また、図８は図６に示した移行条件により各通話中状態間でシステム状態が移行する様子の一例を表示部２６の表示内容ととともに示す説明図である。
【００７０】
なお、図６〜図８で括弧に囲まれた数字は、それぞれ同一の通話中状態間移行を示す。各数字と通話中状態間移行との関係は図７および図８に示したとおりである。たとえば、図６〜図８で「（１）」はタッチロック状態から通常状態への移行を示す。
【００７１】
システム状態管理部３４は、図６に示す条件に従って図７および図８に示す通話中状態間遷移を行う。たとえば、タッチロック状態（第１の通話中状態）において、電源ボタン１５が短押しされた旨の情報を操作内容取得部３１より受けると、システム状態管理部３４はタッチロック状態からオフスクリーン状態へシステム状態を移行させる（図６〜８の（３）参照）。
【００７２】
図９は、待受け状態から通話中状態へ移行し再び待受け状態へ移行する際の手順を示すフローチャートである。図９において、Ｓに数字を付した符号は、フローチャートの各ステップを示す。この手順は、システム状態が待受け状態のときスタートとなる。
【００７３】
まず、ステップＳ１において、通話制御部３３は、操作内容取得部３１から発着呼指示キー１６を介して発呼指示および着呼指示のいずれかの指示があったか否かを判定する。発着呼指示があった場合はステップＳ２に進む。一方、発着呼指示がない場合は引き続き発着呼指示を監視する。
【００７４】
次に、ステップＳ２において、システム状態管理部３４は、通話制御部３３から発着呼指示があった旨の情報を受け、システム状態をタッチロック状態へ移行する（図７参照）。このとき、システム状態管理部３４は、表示部２６に対し現在システムロック状態にある旨の情報などを表示させるとよい（図５参照）。
【００７５】
次に、ステップＳ３において、通話制御部３３は、相手先の電話機と携帯電話機１０との音声通話を確立する。
【００７６】
次に、ステップＳ４において、主制御部２４は、移行条件（図６参照）が満たされると通話中状態間移行を行う処理を実行する（図６〜８参照）。
【００７７】
次に、ステップＳ５において、通話制御部３３は、操作内容取得部３１から終話指示キー１７を介して終話指示があったか否かを判定する。終話指示があった場合はステップＳ６に進む。一方、終話指示がない場合は引き続き通話中状態が維持されてステップＳ３に戻る。
【００７８】
次に、ステップＳ６において、通話制御部３３は、相手先の電話機との通話接続を終了する。
【００７９】
次に、ステップＳ７において、システム状態管理部３４は、システム状態を通話中状態から待受け状態へ移行させる（図７参照）。
【００８０】
以上の手順により、待受け状態から通話中状態へ移行し再び待受け状態へ移行することができる。
【００８１】
図１０は、通常状態への移行後、入力操作の有無に関わらず所定時間経過後にシステム状態を自動的に他の通話中状態へ移行させる際の手順を示すフローチャートである。図１０において、Ｓに数字を付した符号は、フローチャートの各ステップを示す。
【００８２】
図１０に示す手順は、図９のステップＳ４における通話中状態間移行処理の一部である。この手順は、他の通話中状態から通常状態への移行条件が満たされるとスタートとなる。図６に示す例では、他の通話中状態から通常状態への移行条件は、タッチロック状態でダブルタップされた場合（図６〜８の（１））か、オフスクリーン状態でダブルタップまたは電源ボタン１５が短押しされた場合（図６〜８の（４））に満たされる。
【００８３】
まず、ステップＳ１１において、システム状態管理部３４は他の通話中状態から通常状態へとシステム状態を移行させる。この結果、タッチロックは解除される。
【００８４】
次に、ステップＳ１２において、タイマ制御部３５は、システム状態管理部３４から通常状態へ移行した旨の情報を受け、強制タイマ４１およびタッチロックタイマ４２に対し計時を開始するよう指示する。
【００８５】
次に、ステップＳ１３において、操作内容取得部３１は、電源ボタン１５が短押しされたか否かを判定する。
【００８６】
電源ボタン１５が短押しされた場合、図６〜図８に示した（５）の移行条件が満たされる。このため、タイマ制御部３５により強制タイマ４１およびタッチロックタイマ４２がリセットされて動作を停止し（ステップＳ１４）、システム状態管理部３４によりシステム状態がオフスクリーン状態へと移行される。
【００８７】
一方、電源ボタン１５が短押しされていない場合は、ステップＳ１５において、操作内容取得部３１は、タッチセンサ２７を介した入力操作が行われたか否かを判定する。タッチセンサ２７を介した入力操作が行われない場合はステップＳ１６に進む。一方、入力操作が行われた場合はステップＳ１８に進む。
【００８８】
次に、ステップＳ１６において、タイマ制御部３５は、タッチロックタイマ４２から第２のタイムアウト信号を受けたか否かを判定する。
【００８９】
第２のタイムアウト信号を受けた場合、図６〜図８に示した（２）の移行条件が満たされる。このため、タイマ制御部３５により強制タイマ４１およびタッチロックタイマ４２がリセットされて動作を停止し（ステップＳ１７）、システム状態管理部３４によりシステム状態がタッチロック状態へと移行される。
【００９０】
他方、ステップＳ１５で入力操作があったと判定されると、タイマ制御部３５はタッチロックタイマ４２の計時時間Δｔ２をリセットし計時をゼロから再開させ、ステップＳ１９に進む。
【００９１】
第２のタイムアウト信号を受けていない場合（ステップＳ１６のＮＯ）またはタッチロックタイマ４２が再起動された場合（ステップＳ１８）、ステップＳ１９において、タイマ制御部３５は、強制タイマ４１から第１のタイムアウト信号を受けたか否かを判定する。第１のタイムアウト信号を受けた場合は、ステップＳ１７に進む。一方、第１のタイムアウト信号を受けていない場合は、ステップＳ１３に戻る。
【００９２】
以上の手順により、通常状態への移行後、入力操作の有無に関わらず所定時間（第１の所定の時間Ｔｔｈ１）経過後にシステム状態を自動的に他の通話中状態へ移行させることができる。
【００９３】
本実施形態に係る携帯電話機１０は、通常状態に移行してから第１の所定の時間Ｔｔｈ１経過し強制タイマ４１が第１のタイムアウト信号を出力すると、入力操作の有無によらず強制的かつ自動的にタッチロック状態に移行する。このため、携帯電話機は、通話中状態にタッチロックが解除された状態（タッチセンサ２６の無効化が望ましい状態）になると、タッチパネル１１への物体の接近を検知することなく、確実に自動的にタッチセンサ２７に対する入力操作を無効にすることができる。
【００９４】
また、本実施形態に係る携帯電話機１０は、タッチロック状態において、現在タッチロック状態にありタッチ操作が無効である旨の情報や通常状態へ移行するための所定の操作（たとえばダブルタップ）の情報などを表示部２６に表示させる。このため、たとえば通常状態に移行後、ユーザがタッチ操作中にもかかわらず第１の所定の時間が経過して自動的にタッチロック状態へと移行した場合でも、ユーザは直ちに状況を理解するとともに所定の操作を行うことによりシステム状態を容易に再度通常状態へ移行させることができる。
【００９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００９６】
たとえば、本発明は、本実施形態で説明した携帯電話機１０のほかにも、様々な無線端末に適用可能であり、特に、ＰＤＡ（Personal Digital Assistant）、携帯型ゲーム機、携帯型音楽再生機、携帯型動画再生機などの携帯型の端末に好適である。
【００９７】
また、上記実施形態では、タッチセンサ２６の無効化が望ましい状態として、通話中状態かつタッチロック解除状態を例に挙げて説明したが、これに限られないことはもちろんである。
【００９８】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９９】
１０  携帯電話機
１１  タッチパネル
１２  レシーバ
１３  マイクロフォン
１４  タッチキー
１５  電源ボタン
１６  発着呼指示キー
１７  終話指示キー
２１  アンテナ
２２  送受信部
２３  記憶部
２４  主制御部
２５  時刻情報出力部
２６  表示部
２７  タッチセンサ
３１  操作内容取得部
３２  操作内容通知部
３３  通話制御部
３４  システム状態管理部
３５  タイマ制御部
４１  強制タイマ
４２  タッチロックタイマ
４３  オフスクリーンタイマ
【図１】
0005493960.tif 000002
【図２】
0005493960.tif 000003
【図３】
0005493960.tif 000004
【図４】
0005493960.tif 000005
【図５】
0005493960.tif 000006
【図６】
0005493960.tif 000007
【図７】
0005493960.tif 000008
【図８】
0005493960.tif 000009
【図９】
0005493960.tif 000010
【図１０】
0005493960.tif 000011